(57)【特許請求の範囲】
【請求項１】
データを複数記憶する第１の記憶手段と、
データの入力を検出する検出手段と、
この検出手段により検出された入力データに含まれる所定のデータを検索条件として、前記第１の記憶手段を検索する検索手段と、
この検索手段により検索した結果、前記入力データに関連する関連データが前記第１の記憶手段に記憶されている場合に、この関連データの数をカウントするカウント手段と、
前記関連するデータを個々に識別するための識別情報のみを前記カウント手段にてカウントされた数分、前記入力データとともに表示する表示手段と、
この表示手段によって表示された識別情報が指示操作されたか否かを判断する第１の判断手段と、
この第１の判断手段により指示操作されたと判断された識別情報によって識別される関連データを前記第１の記憶手段から読み出し、前記入力データと切り換えて前記表示手段に表示するよう制御する表示制御手段と
を備えたことを特徴とする電子機器。
【請求項２】
前記第１の記憶手段に記憶されたデータを編集するためのプログラムを記憶する第２の記憶手段と、
前記表示制御手段により表示された関連データの編集が選択されたか否かを判断する第２の判断手段と、
この第２の判断手段により前記関連データの編集が選択されたと判断すると、前記第２の記憶手段より前記プログラムを読み出し、この関連データを編集する編集手段と
を更に備えたことを特徴とする請求項１記載の電子機器。
【請求項３】
前記編集手段は、前記第２の判断手段により編集が選択されたと判断すると、前記表示制御手段による表示状態を保持しつつ、前記関連データを編集することを特徴とする請求項２記載の電子機器。
【請求項４】
前記第１の記憶手段は、データとこのデータが前記検索手段による検索対象であることを示す情報とを対応付けて記憶し、
前記検索手段は前記第１の記憶手段に記憶されたデータの内、この情報が記憶されているデータのみを検索対象とすることを特徴とする請求項１乃至３の何れかに記載の電子機器。
【請求項５】
前記識別情報とは、前記関連データに個別に割り当てられる番号であることを特徴とする請求項１乃至４の何れかに記載の電子機器。
【請求項６】
前記第１の記憶手段は、前記複数のデータをデータの種類を特定する種別情報と対応付けて記憶し、
前記識別情報とは、前記関連データに対応付けられた種別情報であることを特徴とする請求項１乃至４の何れかに記載の電子機器。
【請求項７】
前記所定のデータはキーワードであることを特徴とする請求項１乃至６の何れかに記載の電子機器。
【請求項８】
前記表示手段は、前記入力データをウインドウ表示するとともに前記識別情報をラベルとして表示し、
前記表示制御手段は、前記第１の判断手段により指示操作されたと判断されたラベルによって識別される関連データを前記第１の記憶手段から読み出し、前記入力データと切り換えて前記表示手段にウインドウ表示することを特徴とする請求項１乃至７の何れかに記載の電子機器。
【請求項９】
外部の通信回線に接続する接続手段を更に備え、
前記検出手段は、この接続手段により接続された外部の通信回線を介して受信したデータを入力データとして検出することを特徴とする請求項１乃至８の何れかに記載の電子機器。
【請求項１０】
データを複数記憶する記憶手段とデータを表示する表示手段とを備える電子機器が有するコンピュータを、
データの入力を検出する検出手段、
この検出手段により検出された入力データに含まれる所定のデータを検索条件として、前記記憶手段を検索する検索手段、
この検索手段により検索した結果、前記入力データに関連する関連データが前記第１の記憶手段に記憶されている場合に、この関連データの数をカウントするカウント手段、
前記関連するデータを個々に識別するための識別情報のみを前記カウント手段にてカウントされた数分、前記入力データとともに前記表示手段に表示させる第１の表示制御手段、
この第１の表示制御手段によって表示された識別情報が指示操作されたか否かを判断する判断手段、
この判断手段により指示操作されたと判断された識別情報によって識別される関連データを前記記憶手段から読み出し、前記入力データと切り換えて前記表示手段に表示するよう制御する第２の表示制御手段
として機能させるためのプログラムを記憶したことを特徴とするコンピュータ読取可能な記憶媒体。
【請求項１１】
データの入力を検出する検出ステップと、
この検出ステップにて検出された入力データに含まれる所定のデータを検索条件として、予め複数のデータを記憶する記憶部を検索する検索ステップと、
この検索ステップにて検索した結果、前記入力データに関連する関連データが前記記憶部に記憶されている場合に、この関連データの数をカウントするカウントステップと、
前記関連するデータを個々に識別するための識別情報のみを前記カウントステップにてカウントされた数分、前記入力データとともに表示部に表示させる第１の表示制御ステップと、
この第１の表示制御ステップにて表示された識別情報が指示操作されたか否かを判断する判断ステップと、
この判断ステップにて指示操作されたと判断された識別情報によって識別される関連データを前記記憶部から読み出し、前記入力データと切り換えて前記表示部に表示するよう制御する第２の表示制御ステップと
を含むことを特徴とするデータ表示方法。
【発明の詳細な説明】
【０００１】
【発明の属する技術分野】
本発明は、電子機器、記憶媒体、及びデータ表示方法に関する。
【０００２】
【従来の技術】
近時、電子手帳機能付きページング受信機に代表されるようなデータ通信機能付携帯端末が普及している。
【０００３】
このような機能を備えた携帯端末は、携帯性を重視しながらも多数のキーと大型の表示図面とを有し、電子手帳としての各種機能（電話帳、スケジュール、メモ等）、漢字等を含んだ長文のメッセージを作成するメッセージ作成機能、及び有線／無線モデムや赤外線、ＤＴＭＦ信号出力によるデータ通信機能等、多種多様な機能を有している。
【０００４】
そしてこの種の携帯端末は、従来のページャーと比較して表示画面が大きいので、長文のメッセージを一度に全て表示することができる。
【０００５】
また、上記データ通信機能を電子メールの通信に適用した場合、受信した電子メールのメッセージ表示画面から必要なキー操作を行なうことで、そのメッセージを送ってきた送信者に関する個人データや、あるいはメッセージデータ中に含まれている事柄に関連したデータの表示に切換えることができる機能を備えた携帯端末もある。
【０００６】
【発明が解決しようとする課題】
しかしながら、上述した受信メッセージの表示からその受信メッセージに関連している他のデータの表示画面への切換は、この他のデータに関連するモードへの切換を指示するものである。
【０００７】
したがって表示切り換えの度にＣＰＵがこの他のデータに対応するアプリケーションプログラムを起動しなくてはならない。
【０００８】
最近では、このような処理の高速化を図るため、一時的にメモリにアプリケーションプログラム常駐させ、起動に要する時間を短縮化する方法も取られているが、複数の関連データの表示切り換えの際は、対応するアプリケーションソフトを複数常駐させなければならず、ＣＰＵの処理に非常に負担が大きかった。
【０００９】
このため、動作可能なアプリケーションソフトを複数備えていても、ＣＰＵの性能、携帯性を重視した表示性能、その他動作環境により、上記のような表示切換機能は必ずしも快適な走査を実現できるものではなかった。
本発明は上記のような実情に鑑みてなされたもので、その目的とするところは、内部処理に負担をかけず、簡単な入力操作でメッセージと内容が関連している他のデータを呼出して表示させることが可能な電子機器、記憶媒体、及びデータ表示方法を提供することにある。
【００１０】
【課題を解決するための手段】
請求項１記載の発明は、データを複数記憶する第１の記憶手段と、データの入力を検出する検出手段と、この検出手段により検出された入力データに含まれる所定のデータを検索条件として、前記第１の記憶手段を検索する検索手段と、この検索手段により検索した結果、前記入力データに関連する関連データが前記第１の記憶手段に記憶されている場合に、この関連データの数をカウントするカウント手段と、前記関連するデータを個々に識別するための識別情報のみを前記カウント手段にてカウントされた数分、前記入力データとともに表示する表示手段と、この表示手段によって表示された識別情報が指示操作されたか否かを判断する第１の判断手段と、この第１の判断手段により指示操作されたと判断された識別情報によって識別される関連データを前記第１の記憶手段から読み出し、前記入力データと切り換えて前記表示手段に表示するよう制御する表示制御手段とを備えたことを特徴とする。
【００１２】
請求項２記載の発明は、上記請求項１記載の発明において、前記第１の記憶手段に記憶されたデータを編集するためのプログラムを記憶する第２の記憶手段と、前記表示制御手段により表示された関連データの編集が選択されたか否かを判断する第２の判断手段と、この第２の判断手段により前記関連データの編集が選択されたと判断すると、前記第２の記憶手段より前記プログラムを読み出し、この関連データを編集する編集手段とを更に備えたことを特徴とする。
【００１４】
請求項３記載の発明は、上記請求項２記載の発明において、前記編集手段は、前記第２の判断手段により編集が選択されたと判断すると、前記表示制御手段による表示状態を保持しつつ、前記関連データを編集することを特徴とする。
【００１６】
請求項４記載の発明は、上記請求項１乃至３の何れかに記載の発明において、前記第１の記憶手段は、データとこのデータが前記検索手段による検索対象であることを示す情報とを対応付けて記憶し、前記検索手段は前記第１の記憶手段に記憶されたデータの内、この情報が記憶されているデータのみを検索対象とすることを特徴とする。
【００１８】
請求項５記載の発明は、上記請求項１乃至４の何れかに記載の発明において、前記識別情報とは、前記関連データに個別に割り当てられる番号であることを特徴とする。
【００２０】
請求項６記載の発明は、上記請求項１乃至４の何れかに記載の発明において、前記第１の記憶手段は、前記複数のデータをデータの種類を特定する種別情報と対応付けて記憶し、前記識別情報とは、前記関連データに対応付けられた種別情報であることを特徴とする。
【００２２】
請求項７記載の発明は、上記請求項１乃至６の何れかに記載の発明において、前記所定のデータはキーワードであることを特徴とする。
【００２４】
請求項８記載の発明は、上記請求項１乃至７の何れかに記載の発明において、前記表示手段は、前記入力データをウインドウ表示するとともに前記識別情報をラベルとして表示し、前記表示制御手段は、前記第１の判断手段により指示操作されたと判断されたラベルによって識別される関連データを前記第１の記憶手段から読み出し、前記入力データと切り換えて前記表示手段にウインドウ表示することを特徴とする。
【００２６】
請求項９記載の発明は、上記請求項１乃至８の何れかに記載の発明において、外部の通信回線に接続する接続手段を更に備え、前記検出手段は、この接続手段により接続された外部の通信回線を介して受信したデータを入力データとして検出することを特徴とする。
【００３０】
請求項１０記載の発明は、データを複数記憶する記憶手段とデータを表示する表示手段とを備える電子機器が有するコンピュータを、データの入力を検出する検出手段、この検出手段により検出された入力データに含まれる所定のデータを検索条件として、前記記憶手段を検索する検索手段、この検索手段により検索した結果、前記入力データに関連する関連データが前記第１の記憶手段に記憶されている場合に、この関連データの数をカウントするカウント手段、前記関連するデータを個々に識別するための識別情報のみを前記カウント手段にてカウントされた数分、前記入力データとともに前記表示手段に表示させる第１の表示制御手段、この第１の表示制御手段によって表示された識別情報が指示操作されたか否かを判断する判断手段、この判断手段により指示操作されたと判断された識別情報によって識別される関連データを前記記憶手段から読み出し、前記入力データと切り換えて前記表示手段に表示するよう制御する第２の表示制御手段として機能させるためのプログラムを記憶したことを特徴とする。
【００３２】
請求項１１記載の発明は、データの入力を検出する検出ステップと、この検出ステップにて検出された入力データに含まれる所定のデータを検索条件として、予め複数のデータを記憶する記憶部を検索する検索ステップと、この検索ステップにて検索した結果、前記入力データに関連する関連データが前記記憶部に記憶されている場合に、この関連データの数をカウントするカウントステップと、前記関連するデータを個々に識別するための識別情報のみを前記カウントステップにてカウントされた数分、前記入力データとともに表示部に表示させる第１の表示制御ステップと、この第１の表示制御ステップにて表示された識別情報が指示操作されたか否かを判断する判断ステップと、この判断ステップにて指示操作されたと判断された識別情報によって識別される関連データを前記記憶部から読み出し、前記入力データと切り換えて前記表示部に表示するよう制御する第２の表示制御ステップとを含むことを特徴とする。
【００３４】
【発明の実施の形態】
（第１の実施の形態）
以下本発明を電子手帳機能を有する、ＲＣＲＳＴＤ−４３規格に則ったページング受信機に適用した場合の第１の実施の形態について図面を参照して説明する。
【００３５】
図１はその回路構成を示すもので、このページング受信機１は、アンテナ１１、受信部１２（接続手段）、デコーダ部１３、ＩＤ−ＲＯＭ１４、ＲＡＭ１５（第１の記憶手段）、ＲＯＭ１６、ＣＰＵ１７（検出手段、表示制御手段、付与手段、判別手段、変更手段）、表示ドライバ１８、この表示ドライバ１８により駆動表示される例えば液晶表示パネルで構成された表示部１９（第１の表示手段、ウインドウ表示手段）、報知ドライバ２０、キー入力部２１（選択手段）、上記報知ドライバ２０によりそれぞれ駆動されて報知を行なうスピーカ２２、ＬＥＤ２３、バイブレータ２４、及びＩＦ（インターフェース）２５を備え、このうちデコーダ部１３、ＩＤ−ＲＯＭ１４、ＲＡＭ１５、ＲＯＭ１６、ＣＰＵ１７、表示ドライバ１８、報知ドライバ２０、キー入力部２１、及びＩＦ２５はバスＢで接続される。
【００３６】
アンテナ１１は、図示しない送信基地局から無線で送信される１フレームのデータを受信して受信部１２に出力する。受信部１２（接続手段）はデコーダ部１３に接続され、このデコーダ部１３からの制御信号に基づいて駆動されて、受信したデータの復調及び検波を行なう。この受信部１２は、データ中の同期部を取込むことによって２値変調で受信した場合と４値変調で受信した場合とに分けて出力する。
【００３７】
デコーダ部１３は、デ・インターリーブ回路１３１、バッファメモリ１３２、誤り訂正処理回路１３３、及びアドレスデータ照合回路１３４を含む。
【００３８】
受信部１２より入力した２値もしくは４値のデジタルデータを８ビットのパラレルデータに並び換え、逐次バスＢに出力する。
【００３９】
この場合、アドレスデータ照合回路１３４で受信したアドレスデータと、ＩＤ−ＲＯＭ１４に予め登録されているアドレスデータとの照合を行ない、その結果が一致したと判断した際は受信動作を受信部１２に対して継続するように制御する。
【００４０】
しかして、デコーダ部１３は、受信により得たパラレルデータを受信した変調方式及び伝送速度に併せてデ・インターリーブ回路１３１で並び換え（インタリーブ回復）、１フレーム単位のデータを得るもので、この得たデータをバッファメモリ１３２に一時的に保持した上で、さらに誤り訂正処理回路１３３においてこのデータのＢＣＨ符号を復号化して誤り訂正処理を行ない、送信者コード（送信者の連絡先電話番号の下４桁の数値データ）を含んだメッセージデータを抽出するものである。
【００４１】
ＩＤ−ＲＯＭ１４は、このページング受信機１が受信すべきフレームＮｏ．、アドレスデータ（コードワード）３２ビット、ベクトルタイプデータ３ビット、設定内容、表示制御内容、及び呼出番号等を対応付けて記憶している。
【００４２】
ＲＡＭ１５（第１の記憶手段）は、図２に示すように、着信したメッセージデータを記憶する着信メッセージメモリエリアＲＭ、電子手帳機能としての、電話番号を含む個人データを複数記憶する電話帳メモリエリアＴＬ、スケジュールデータを記憶するスケジュールデータメモリエリアＳＣ、メモデータを記憶するメモデータメモリエリアＭＭ、及び空きエリアを有するもので、その記憶内容はキー入力部２１に備えられる電源キーによる電源の投入状態等に関係なく保持される。
【００４３】
着信メッセージメモリエリアＲＭは、図３にその記憶内容を例示するように、格納アドレス、着信アドレス、着信メッセージ内容、送信者コードフラグ、送信者コード、及び着信日時からなる着信メッセージデータを複数記憶するエリアである。
【００４４】
このうち送信者コードフラグは、着信したメッセージデータの末尾に所定の記号、例えば「  ］］  」と共に送信者を表わす４桁の数値データが付加設定されており、且つその数値データに対応する名前が電話帳メモリエリアＴＬに登録されている場合に“１”がセットされるもので、この送信者コードフラグ“１”がセットされている場合には、併せて付加設定されていた４桁の数値データが送信者コードとして設定される。
【００４５】
電話帳メモリエリアＴＬは、図４にその記憶内容を例示するように、格納アドレスと電話番号、名前、及びプライベートデータからなる個人データを複数記憶するエリアであり、キー入力部２１のキーボード２１１（編集手段）から入力されるデータ、もしくはＩＦ２５より入力されたデータに従ってかな漢字、英数字等で構成された文字列がキャラクタデータとして格納される。このうち、プライベートデータは、例えば住所や誕生日、勤務地等を任意の文字列により設定するものである。
【００４６】
スケジュールデータメモリエリアＳＣは、図５にその記憶内容を例示するように、格納アドレスとスケジュール内容、及びアラーム報知を行なうか否かを示すアラーム設定フラグからなるスケジュールデータを複数記憶するエリアであり、キー入力部２１のキーボード２１１から入力されたスケジュールデータ、もしくはＩＦ２５より入力されたスケジュールデータが格納される。
【００４７】
メモデータメモリエリアＭＭは、図６にその記憶内容を例示するように、格納アドレス、タイトル、及びメモ内容からなるメモデータを複数記憶するエリアであり、キー入力部２１のキーボード２１１から入力されたメモデータ、もしくはＩＦ２５より入力されたメモデータが格納される。
【００４８】
ＲＯＭ１６は、上記ＣＰＵ１７を動作させるための各種プログラムや各種データを格納し、ＥＥＰＲＯＭで構成されている。
【００４９】
これら各プログラム、及び各種データとは、詳細には、キー入力部２１から入力されるデータに基づいて、各モード（電話帳モード、スケジュールモード、及びメモモード）の切換制御プログラム、アプリケーションプログラム、及びビューワ（アプリケーションプログラムの一種であり、各モードで登録されているデータの表示のみのためにロードされる。そのモードに移行しての入力／編集は不可であり、起動時においては比較的ワークメモリに負担をかけずロードされる。）や、このキー入力部２１に備えられるキーボード２１１から入力されたデータに基づいて、かな漢字や、英数字等を表示、もしくはＲＡＭ１５の各電子手帳機能のメモリエリアに記憶させるためのキャラクタジェネレータ１６１を含んでいる。
【００５０】
ＣＰＵ１７（検出手段、表示制御手段、付与手段、判別手段）は、計時部１７１、カウンタ１７２、タイマ１７３、レジスタ１７４、ワークメモリ１７５、及びアプリケーションローダー１７６を内蔵し、このページング受信機１全体の動作をＲＯＭ１６に格納されている制御プログラムに従って制御し、また後述するデータの格納、表示動作を制御する。
【００５１】
このうち、計時部１７１は、現在時刻を常にカウントしており、それぞれ対応付けて記憶されるメッセージデータの着信時刻、他のモードの登録時刻、スケジュールデータの開始／終了時刻等を計時する。
【００５２】
また、レジスタ１７４は、図７に示すように着信メッセージから検出した送信者コードと対応する送信者名、及び関連するメッセージデータのカウント値を１組のデータとして複数組のデータを記憶する一方、後述する表示切換キーによるキー操作回数と読出しアドレスとを組にして記憶するようになっている。
【００５３】
さらにアプリケーションローダー１７６は、キー入力部２１からモード切換指示を検出した場合、ＲＯＭ１６より、対応するアプリケーションソフト、及びビューワをＣＰＵ１７のワークメモリ１７５にロードする機能を備えている。
上記表示ドライバ１８は、表示部１９を表示駆動して受信したメッセージやその他のデータを表示させる。
【００５４】
報知ドライバ２０は、着信を鳴音で報知するスピーカ２２、点灯または点滅によって報知するＬＥＤ２３、及び振動で報知するバイブレータ２４をＣＰＵ１７の制御の下に駆動する。
【００５５】
キー入力部２１（選択手段）は、電源キーやモード切換キー、リセットキー、表示画面を切換える表示切換キーの他に、かなや漢字、英数字を入力するための各種文字入力キーからなるキーボード２１１（編集手段）を有している。
【００５６】
ＩＦ２５は、ＣＰＵ１７からの制御に基づき、データケーブル、及び赤外線等を伝送媒体として外部の電子機器とデータの送受を行う回路であり、伝送データを一時的に格納するバッファを備える。
【００５７】
次に上記実施の形態の動作について説明する。
【００５８】
図８及び図９は自機宛てのメッセージデータの着信があってからそれを格納し、必要に応じた表示と報知を行なうまでのＣＰＵ１７による一連の処理内容を示すものであり、その当初には、受信電波に同期した間欠受信状態でＩＤ−ＲＯＭ１４に格納されているフレームＮｏ．とアドレスデータに合致する１フレームデータをデコーダ部１３に取込む（ステップＳ０１）。
【００５９】
次いで、このデコーダ部１３に取込んだデータを復調処理、及びデータ処理（バッファメモリ１３２に一時格納、デ・インターリーブ処理回路１３１による受信データの並べ替え、誤り訂正処理回路１３３による受信データの誤り訂正処理、及び、アドレスデータ照合回路１３４によるアドレスデータ一致判断）を行い、受信データのメッセージフィールド中のメッセージデータをＲＡＭ１５の着信メッセージメモリエリアＲＭに格納する。
【００６０】
このとき、メッセージデータの末尾に上述した所定の記号「  ］］  」と送信者を表わす４桁の数値データが付加されている場合には、併せて着信メッセージメモリエリアＲＭの該当する送信者コードフラグに“１”をセットし、送信者コードとしてその４桁の数値データを設定した上で、その４桁の数値コードによりＲＡＭ１５の電話帳メモリエリアＴＬから電話番号の下４桁が一致する個人データを検索し（ステップＳ０２）、対応する送信者の個人データがあったか否かを判断する（ステップＳ０３）。
【００６１】
図１０は新たな着信メッセージデータを着信メッセージメモリエリアＲＭに格納した状態を例示するもので、ここでは格納アドレス「０４００」に着信メッセージ内容が「議事録作成しました。」というメッセージデータをＣＰＵ１７内の計時部１７１により得た着信日時「９７．１１．１５  １７：００」と共に着信メッセージデータとして格納している状態を示す。
【００６２】
この着信メッセージデータにおける送信者コードフラグが“１”にセットされており、併せて送信者コードに４桁の数値データ「４３２１」が設定されていることから、メッセージの着信にあっては上記メッセージ内容「議事録作成しました。」に続いて送信者コードが付加設定されていたことがわかる。
【００６３】
しかして、この送信者コードを用いて電話帳メモリエリアＴＬに記憶されている個人データの電話番号の下４桁を検索することで、上記図４に示したように送信者の個人データ、すなわち格納アドレス「１１００」、電話番号「０９８−７６５−４３２１」、名前「野村太郎」、及びプライベートデータ「プライベートデータ２（内容は特に説明しない）」が格納されていることがわかる。
【００６４】
上記ステップＳ０３で対応する送信者の個人データがあったと判断すると、上記図３乃至図６で示したＲＡＭ１５のすべてのファイルデータから、この送信者に関わるデータを送信者コード「４３２１」と名前「野村」及び「野村太郎」をキーワードとして検索し（ステップＳ０４）、検索の結果、一致したデータの格納アドレスを読出しアドレスとしてＣＰＵ１７内のレジスタ１７４に記憶すると共に、そのデータ数をＣＰＵ１７内のカウンタ１７２によりカウントして表示するウィンドウの数を決定し、併せてレジスタ１７４に記憶する。又、検索の結果一致したデータが存在することの検出により、アプリケーションローダー１７６がＲＯＭ１６よりビューワを読み出してワークメモリ１７５にロードする（ステップＳ０５）。
【００６５】
図１１はこのときのＣＰＵ１７内のレジスタ１７４の記憶状態を示すもので、検出した送信者コード「４３２１」と送信者名「野村太郎」を関連データのカウント値「４」と共に記憶する一方、読出しアドレスとして着信メッセージメモリエリアＲＭに記憶した今回着信したメッセージデータの格納アドレス「０４００」と、上記検索により得た関連データの各格納アドレス「０１００」「１１００」「２３００」「８１００」を記憶する。
【００６６】
この場合、着信したメッセージデータと検索により得た関連したデータのカウント値「４」とを併せてデータ数、すなわち表示するウィンドウの数は「５」となるので、各読出しアドレスに対応したキー入力部２１の表示切換キーのキー操作回数はそれぞれ「５」の剰余数「５Ｎ（Ｎは自然数）」「５Ｎ＋１」「５Ｎ＋２」「５Ｎ＋３」「５Ｎ＋４」となる。
【００６７】
その後、ＣＰＵ１７内のタイマ１７３による着信報知の所定時間の計時を開始すると共に（ステップＳ０６）、報知ドライバ２０により予め設定されているスピーカ２２、ＬＥＤ２３、及びバイブレータ２４の少なくとも１つを駆動させてメッセージの着信があったことを報知し、同時に表示ドライバ１８により表示部１９で着信メッセージデータのウィンドウを先頭とする表示を行なう（ステップＳ０７）。
【００６８】
図１２はこのときの表示部１９の表示画面を例示するもので、「１」〜「５」の見出し（第２の表示手段）を付けた５枚のカードの内、先頭に位置する「１」の見出しを付けたカード上に、着信メッセージデータとしてメッセージ（内容）「議事録作成しました。」、送信者「野村太郎」、及び着信日時「９７．１１．１５  １７：００」が印刷されているイメージを表示するものである。
【００６９】
この場合、表示している着信メッセージデータはレジスタ１７４のキー操作回数「５Ｎ」に対応した読出しアドレス「０４００」に基づいてＲＡＭ１５の着信メッセージメモリエリアＲＭから読出されている。
【００７０】
この表示以後、キー入力部２１のいずれかのキーが操作されたか否か（ステップＳ０８）、あるいはＣＰＵ１７内のタイマ１７３が着信報知を行なう所定時間の計時を終了したか否か（ステップＳ１１）を繰返し判断することで、表示切換キーの操作とタイマ１７３のタイムアップを待機する。
【００７１】
そして、上記ステップＳ０８でキー入力部２１のいずれかのキーが操作されたと判断した場合、着信報知を行なう所定時間内にキー操作がなされたことになるので、上記タイマ１７３による計時動作をリセットした後（ステップＳ０９）、上記報知ドライバ２０によるスピーカ２２、ＬＥＤ２３、及びバイブレータ２４の少なくとも１つを駆動しての報知を停止させ、同時に操作されたキーが表示切換キーであった場合にのみ、その表示切換キーの操作回数に対応した読出しアドレスをレジスタ１７４から得、着信メッセージメモリエリアＲＭ、電話帳メモリエリアＴＬ、スケジュールデータメモリエリアＳＣ、及びメモデータメモリエリアＭＭのいずれかから対応する格納アドレスに記憶されているデータをビューワが読出して、上記ステップＳ０７での着信メッセージデータの表示状態から切換えて表示させ（ステップＳ１０）、以上でこの処理を終了する。
【００７２】
図１３は、上記図１２で示した表示画面の状態から、キー入力部２１の表示切換キーを２回連続して操作した場合の表示画面を例示するものである。この場合、「１」〜「５」の見出しを付けた５枚のカードの内、「３」の見出しを付けたカード上に、電話帳メモリエリアＴＬから読出した個人データとして電話番号  「０９８−７６５−４３２１」、名前「野村太郎」、及びプライベートデータ  「プライベートデータ２」が印刷されているイメージを表示するものである。
【００７３】
ここで表示している個人データは、レジスタ１７４のキー操作回数「５Ｎ＋２」に対応した読出しアドレス「１１００」に基づいて読出されたものである。
【００７４】
また、上記ステップＳ１１でＣＰＵ１７内のタイマ１７３が着信報知を行なう所定時間の計時を終了したと判断した場合には、キー入力部２１のいずれのキー操作も行なわれないままに着信報知を行なう所定時間が経過したこととなるので、上記報知ドライバ２０によるスピーカ２２、ＬＥＤ２３、及びバイブレータ２４の少なくとも１つを駆動しての報知を停止させ、同時にそれまで上記図１２で示したような表示部１９での着信メッセージデータの表示を消去させて（ステップＳ１２）、以上でこの処理を終了する。
【００７５】
さらに、上記ステップＳ０３で対応する送信者の個人データがなかったと判断した場合には、ＲＡＭ１５の電話帳メモリエリアＴＬから着信メッセージデータに付加設定された４桁の数値コードと電話番号の下４桁が一致する個人データがなかったか、あるいはそもそも着信メッセージデータに４桁の数値コードが付加設定されていなかったこととなり、いずれにしても電話帳メモリエリアＴＬに記憶している個人データから送信者を特定することができないので、ＣＰＵ１７内のタイマ１７３による着信報知の所定時間の計時を開始すると共に（ステップＳ１３）、報知ドライバ２０により予め設定されているスピーカ２２、ＬＥＤ２３、及びバイブレータ２４の少なくとも１つを駆動させてメッセージの着信があったことを報知し、同時に表示ドライバ１８により表示部１９で着信メッセージデータの表示を行なう（ステップＳ１４）。
【００７６】
このとき表示部１９で表示されるのは、上記図１２で示した表示内容から「１」〜「５」の見出しを付けた５枚のカードに該当するイメージを除去した、３行の文字部分のみである。
【００７７】
この着信メッセージデータの表示以後、キー入力部２１のいずれかのキーが操作されたか否か（ステップＳ１５）、あるいはＣＰＵ１７内のタイマ１７３が着信報知を行なう所定時間の計時を終了したか否か（ステップＳ１８）を繰返し判断することで、いずれかのキー操作とタイマ１７３のタイムアップを待機する。
【００７８】
そして、上記ステップＳ１５でいずれかのキーが操作されたと判断した場合、着信報知を行なう所定時間内にキー操作がなされたことになるので、上記タイマ１７３による計時動作をリセットした後（ステップＳ１６）、上記報知ドライバ２０によるスピーカ２２、ＬＥＤ２３、及びバイブレータ２４の少なくとも１つを駆動しての報知を停止させ、同時に上記ステップＳ１４での着信メッセージデータの表示状態を維持したままで（ステップＳ１７）、以上でこの処理を終了する。
【００７９】
また、上記ステップＳ１８でＣＰＵ１７内のタイマ１７３が着信報知を行なう所定時間の計時を終了したと判断した場合には、キー入力部２１のいずれのキー操作も行なわれないままに着信報知を行なう所定時間が経過したこととなるので、上記報知ドライバ２０によるスピーカ２２、ＬＥＤ２３、及びバイブレータ２４の少なくとも１つを駆動しての報知を停止させ、同時にそれまでの表示部１９での着信メッセージデータの表示を消去させて（ステップＳ１９）、以上でこの処理を終了する。
【００８０】
（第２の実施の形態）
上記第１の実施の形態では、ウインドウ表示される他の各モードデータの表示は、ビューワが起動することで、そのモードへ移行、入力／編集が不可であったが、本第２の実施の形態では、更にラベル（第２の表示手段、指示手段）をタッチすることにより、対応するアプリケーションプログラムが起動し、着信メッセージデータの読出しモードから、各モードへダイレクトに移行できるようにしている。
【００８１】
以下本発明を電子手帳機能を有する、ＲＣＲＳＴＤ−４３規格に則ったページング受信機に適用した場合の第２の実施の形態について図面を参照して説明する。
【００８２】
図１４はその回路構成を示すもので、基本的には上記図１に示したものと同様であるので、同一部分には同一符号を付してその説明は省略する。
【００８３】
しかして、キー入力部２１は表示部１９上に一体にして設けられたタッチパネルとその駆動回路とでなり、手指によるタッチ操作あるいは専用のスタイラスペン２１２等により表示部１９で表示されるキーボード２１１等の位置に対応した位置指定、筆記動作等により所望する文字、数字、記号等の入力及び各種機能の設定、実行、選択指定等を行なうことができるものとする。
【００８４】
送信バッファ２６は、各モード（特にメモモード）で新規作成／登録されたデータの送信指示を、キー入力部２１より検出した場合、送信する通信回線に対応したデータに変換して保持する機能を備える。
【００８５】
送信部２７は送信バッファ２６に保持されたデータを送信出力する回路であり、例えば、モデム（有線／無線含む）、ダイアラ、赤外線出力部がこれにあたる。
【００８６】
記憶媒体ドライバ２８は可搬型記憶媒体（半導体メモリ、磁気ディスク、光ディスク、光磁気ディスク等を含む）２９に格納されているデータを読み出したり、あるいは可搬型記憶媒体２９にデータを書き込む装置である。
【００８７】
ＲＡＭ１５（第１の記憶手段）は、例えばＥＥＰＲＯＭで構成され、図１５に示すように、通常のデータ処理時に使用するワークエリアＷＨＡ、後述するデータ管理メモリエリアＤＭ、着信したメッセージデータを記憶する着信メッセージメモリエリアＲＭ、電子手帳機能としての、電話番号を含む個人データを複数記憶する電話帳メモリエリアＴＬ、スケジュールデータを記憶するスケジュールデータメモリエリアＳＣ、及びメモデータを記憶するメモデータメモリエリアＭＭを有するもので、各エリアのアドレス領域は図示する通りであり、その記憶内容は電源の投入状態等に関係なく保持される。
【００８８】
データ管理メモリエリアＤＭは、メッセージ着信時の処理が終了しても、メッセージデータと各モードデータの関連付けを記憶するもので、図１６に示すようにエリアＤＭＡ〜ＤＭＤの４つのエリアからなり、またウィンドウ表示の際の表示情報（ラベル部のアイコン画像）等も記憶している。
【００８９】
エリアＤＭＡ（第２の記憶手段）は、データのウィンドウ表示に際して、各ウィンドウのラベル部（第３の表示手段、指示手段）に表示されるアイコン画像を管理メモリエリアと共に記憶しており、着信メッセージの表示時には、各ウィンドウのラベル部に表示されるアイコンをタッチ指定することで、ビューワが該当するウィンドウのデータを読出して表示することとなる。
【００９０】
なお、上記ラベル部に表示されるアイコンを２回連続してタッチ指定した場合には、アプリケーションローダー１７６が、ビューワ１６３に加えてＲＯＭ１６のアプリケーションプログラムメモリ１６２（第３の記憶手段）から対応するアプリケーションプログラムを読出してワークメモリ１７５へロードし、ウィンドウ表示を保持したまま（つまり、他のモードの関連データはビューワが既にロードされていることにより参照可能にしながら）、着信メッセージの表示からデータの参照／入力／編集／削除を行なう各モードの実行状態に移行するものとする。
【００９１】
エリアＤＭＢは、メッセージデータの着信時に検索対象とするデータを格納するもので、上記第１の実施の形態では送信者名を表示しての数字４桁による検索のみを行なうものとしていたが、この第２の実施の形態では着信時刻データ、特定の文字列によるキーワードのデータによる検索も可能とするもので、これら検索のためのデータは適宜入力設定可能であり、それに対して検索の実行／不実行を制御するためのフラグＦ１が記憶される。
【００９２】
エリアＤＭＣは、メッセージデータの着信時に上記エリアＤＭＢを用いての検索の結果検出されたデータ（但し送信者名を表示する場合にのみこのエリアを使用する）、各モードデータで共通する関連キーワード、着信メッセージのウィンドウ表示のウィンドウ数を示す関連データ数、及び後述する関連データ格納アドレスとのデータのリンクを定義する対応アドレスＬＡが対応付けられて格納されるエリアである。
【００９３】
エリアＤＭＤは、上記エリアＤＭＣの対応アドレスＬＡとリンクして、各モードの関連データの格納アドレスを記憶すると共に、ウィンドウ表示の際の当該データのウィンドウ表示の実行／不実行を定義する表示フラグＦ２を各データと対応付けて記憶するエリアである。
【００９４】
着信メッセージメモリエリアＲＭは、図１７にその記憶内容を例示するように、格納アドレス、着信アドレス、着信メッセージ内容、着信日時、フラグＦ３０、及びフラグＦ３１からなる着信メッセージデータを複数記憶するエリアである。
【００９５】
このうちフラグＦ３０は、関連データとしてウィンドウ表示の登録を行なうか否かの制御に用いるもので、“１”がウィンドウ表示可、“０”がウィンドウ表示不可を示し、着信メッセージ表示時のウィンドウ表示に関する設定／制御を各モードで行なうために、上記フラグＦ２とリンクしている。
【００９６】
また、フラグＦ３１は、未確認メッセージの場合に表示すべき関連データとして強制的に設定するものとして設けられたもので、“１”が未確認，“０”が確認済とし、メッセージ全体が表示されたことを検出した時点で“０”にセットする。
したがって、未確認メッセージではフラグＦ３０に“１”が、且つ未確認フラグＦ３１に“１”がそれぞれ設定されることとなる。
【００９７】
電話帳メモリエリアＴＬは、図１８にその記憶内容を例示するように、格納アドレスと電話番号、名前、プライベートデータ、及びフラグＦ４からなる個人データを複数記憶するエリアである。このうち、プライベートデータは、キー入力部２１のキーボード２１１からの入力操作、若しくはスタイラスペン２１２による選択操作を検出することにより、例えば住所や誕生日、勤務地等を任意の文字列により設定するものである。
【００９８】
また、フラグＦ４は上記着信メッセージメモリエリアＲＭのフラグＦ３０と同様、関連データとしてウィンドウ表示を行なうか否かの制御に用いるものである。
【００９９】
スケジュールデータメモリエリアＳＣは、図１９にその記憶内容を例示するように、格納アドレスと日時、スケジュール内容、アラーム報知を行なうか否かを示すアラーム設定フラグ、及びフラグＦ５からなるスケジュールデータを複数記憶するエリアである。
【０１００】
ここでフラグＦ５は、上記データ管理メモリエリアＤＭのエリアＤＭＤのフラグＦ２、着信メッセージメモリエリアＲＭのフラグＦ３０、及び電話帳メモリエリアＴＬのフラグＦ４と同等の役割を果たすものである。
【０１０１】
メモデータメモリエリアＭＭは、図２０にその記憶内容を例示するように、格納アドレス、タイトル番号、メモ内容、及びフラグＦ６からなるメモデータを複数記憶するエリアである。
ここでフラグＦ６は、やはり上記フラグＦ２，Ｆ３０，Ｆ４，Ｆ５と同等の役割を果たすものである。
【０１０２】
ＲＯＭ１６には、上記第１の実施の形態で記載したキャラクタジェネレータ１６１の他に、各モードで使用するアプリケーションプログラムをテーブル上に格納したアプリケーションプログラムメモリ１６２、着信メッセージデータの読出しモードにおいて、関連データの表示を指示した際に起動するビューワ１６３が格納されている。
【０１０３】
これは、上記第１の実施の形態において、ＲＯＭ１６に格納される制御プログラムと混在して記憶されていたアプリケーションプログラム、ビューワを視覚的に差別化して表記したものである。
【０１０４】
次に上記実施の形態の動作について説明する。
【０１０５】
図２１乃至図２５はメッセージの着信とモードの選択操作とを待機している状態からの処理内容を示すもので、その当初には、キー入力部２１によりいずれかのモードが選択操作されるのを検出するか（ステップＳ１０１）、自機宛てのメッセージデータの着信を検出するか（ステップＳ１０２）を順次繰返し判断することで、これらの検出を待機する。
【０１０６】
しかして、ステップＳ１０２で着信の検出があったと判断すると、着信したフレームデータを取り込んで（ステップＳ１０３）、デコーダ部１３で復調処理、及びデータ処理（バッファメモリ１３２に一時格納、デ・インターリーブ処理回路１３１による受信データの並べ替え、誤り訂正処理回路１３３による受信データの誤り訂正処理、及び、アドレスデータ照合回路１３４によるアドレスデータ一致判断）を行い、受信データのメッセージフィールド中のメッセージデータをＲＡＭ１５の着信メッセージメモリエリアＲＭに格納する（ステップＳ１０４）。
【０１０７】
そしてその後、この格納したフレームデータ中のメッセージデータを解析する（ステップＳ１０５）。
【０１０８】
図２６はこうして新たな着信メッセージデータを着信メッセージメモリエリアＲＭに格納した状態を例示するもので、ここでは格納アドレス「４２００」に着信メッセージ内容が「議事録作成しました。」というメッセージデータをＣＰＵ１７（検出手段、表示制御手段、付与手段、判別手段、変更手段）内の計時部１７１により得た着信日時「９７．１１．１５  １７：００」と共に着信メッセージデータとして格納している状態を示す。このとき、格納アドレス「３９００」のメッセージは未確認であり、対応する未確認フラグＦ３１に“１”がセットされているものとする。
【０１０９】
しかして、着信したメッセージデータの解析結果に基づき、着信したメッセージデータについてデータ管理メモリエリアＤＭ内のエリアＤＭＡでフラグＦ１に“１”がセットされている検索内容で検索する（ステップＳ１０６）。
【０１１０】
ここで、該検索内容が上記図１６で示したように数字４桁である場合には、これを判断して（ステップＳ１０７）、その数字４桁により電話帳メモリエリアＴＬを検索し、電話番号の下４桁で一致するものがあったか否かを判断する（ステップＳ１０９）。
【０１１１】
ここで一致するものがなかった場合には、ＣＰＵ１７内のタイマ１７３による着信報知の所定時間の計時を開始すると共に（ステップＳ１１０）、報知ドライバ２０により予め設定されているスピーカ２２、ＬＥＤ２３、及びバイブレータ２４の少なくとも１つを駆動させてメッセージの着信があったことを報知し、同時に表示ドライバ１８により表示部１９で着信メッセージデータのみの表示を行なう（ステップＳ１１１）。
【０１１２】
この表示以後、キー入力部２１のリセットを指示するタッチ操作がなされたか否か（ステップＳ１１２）、あるいはＣＰＵ１７内のタイマ１７３が着信報知を行なう所定時間の計時を終了したか否か（ステップＳ１１４）を繰返し判断することで、リセットの操作とタイマ１７３のタイムアップを待機する。
【０１１３】
そして、上記ステップＳ１１２でリセットを検出したと判断すると、着信報知を行なう所定時間内にキー操作がなされたことになるので、上記タイマ１７３による計時動作をリセットした後、上記報知ドライバ２０によるスピーカ２２、ＬＥＤ２３、及びバイブレータ２４の少なくとも１つを駆動しての報知を停止させ、着信したメッセージデータの表示のみに切換えて（ステップＳ１１３）、再び上記ステップＳ１０１からの待受け状態に戻る。
【０１１４】
また、上記ステップＳ１１４でＣＰＵ１７内のタイマ１７３が着信報知を行なう所定時間の計時を終了したと判断した場合には、キー入力部２１のいずれのキー操作も行なわれないままに着信報知を行なう所定時間が経過したこととなるので、上記報知ドライバ２０によるスピーカ２２、ＬＥＤ２３、及びバイブレータ２４の少なくとも１つを駆動しての報知を停止させ、同時に着信メッセージメモリエリアＲＭに格納した着信メッセージデータに対応する未確認フラグＦ３１のみに“１”をセットすると共に、それまで表示部１９で表示していた着信メッセージデータを消去させ、代って未確認のメッセージデータがあることを示すアイコン（不図示）を表示部１９に表示させて（ステップＳ１１５）、再び上記ステップＳ１０１からの待受け状態に戻る。
【０１１５】
また、上記ステップＳ１０９で電話帳メモリエリアＴＬ内に電話番号の下４桁で一致するものがあった場合には、対応する名前を電話帳メモリエリアＴＬから一致（若しくは部分一致）キーワードとして読出し（ステップＳ１１６）、このキーワードをもってＲＡＭ１５の各メモリエリアＲＭ，ＴＬ，ＳＣ，ＭＭを検索する（ステップＳ１１７）。このとき、各メモリエリアのフラグＦ３０，Ｆ４〜Ｆ６も同時に参照する。
【０１１６】
このステップＳ１１７はまた、上記ステップＳ１０７でデータ管理メモリエリアＤＭ内のエリアＤＭＡでフラグＦ１に“１”がセットされている検索内容が電話番号を含むキーワードであると判断した場合に直接実行するもので、この検索の結果、該当するデータがあったか否かを判断し（ステップＳ１１８）、なかった場合には、そのまま上記ステップＳ１１０からの着信したメッセージデータのみを用いた着信報知と表示の処理に移行する。
【０１１７】
また、ステップＳ１１８で該当するデータがあったと判断した場合には、次いでデータ管理メモリエリアＤＭのエリアＤＭＣに着信したメッセージデータの格納アドレス、検索に用いた検出データ、関連キーワードを書込み設定し、アプリケーションローダー１７６が、ＲＯＭ１６のビューワ１６３を読み出してワークメモリ１７５にロードする（ステップＳ１１９）。
【０１１８】
その後、同データ管理メモリエリアＤＭのエリアＤＭＤに対応アドレスＬＡと関連データ格納アドレスを設定、登録した上でフラグＦ２に“１”をセットする（ステップＳ１２０）。
【０１１９】
次いで、上記ステップＳ１１７での検索により得られた関連データの数をカウントし、その数に応じたウィンドウを各データの種類に応じたラベルを示すアイコンも付加した形で表示部１９に展開表示する（ステップＳ１２１）。
【０１２０】
その上で、ＣＰＵ１７内のタイマ１７３による着信報知の所定時間の計時を開始すると共に、報知ドライバ２０により予め設定されているスピーカ２２、ＬＥＤ２３、及びバイブレータ２４の少なくとも１つを駆動させてメッセージの着信があったことを報知し、同時に表示ドライバ１８により表示部１９で着信したメッセージデータを先頭のウィンドウとした表示を行なう（ステップＳ１２２）。
【０１２１】
この表示以後、キー入力部２１のリセットを指示するタッチ操作がなされたか否か（ステップＳ１２３）、あるいはＣＰＵ１７内のタイマ１７３が着信報知を行なう所定時間の計時を終了したか否か（ステップＳ１３３）を繰返し判断することで、リセットの操作とタイマ１７３のタイムアップを待機する。
【０１２２】
そして、ステップＳ１３３でＣＰＵ１７内のタイマ１７３が着信報知を行なう所定時間の計時を終了したと判断した場合には、キー入力部２１のいずれのキー操作も行なわれないままに着信報知を行なう所定時間が経過したこととなるので、上記報知ドライバ２０によるスピーカ２２、ＬＥＤ２３、及びバイブレータ２４の少なくとも１つを駆動しての報知を停止させ、同時に着信メッセージメモリエリアＲＭに格納した着信メッセージデータに対応するフラグＦ３０と未確認フラグＦ３１の双方に“１”をセットし（ステップＳ１３４）、それまで表示部１９で表示していた内容を消去し（ステップＳ１３５）、再び上記ステップＳ１０１からの待受け状態に戻る。
【０１２３】
また、上記ステップＳ１２３でリセットを検出したと判断すると、着信報知を行なう所定時間内にキー操作がなされたことになるので、上記タイマ１７３による計時動作をリセットした後、上記報知ドライバ２０によるスピーカ２２、ＬＥＤ２３、及びバイブレータ２４の少なくとも１つを駆動しての報知を停止させ、着信メッセージメモリエリアＲＭの該当データ部分の未確認フラグＦ３１に“０”をセットして未確認状態を解除すると共に、あらためて着信メッセージデータを含めた複数のウィンドウを展開表示する（ステップＳ１２４）。
【０１２４】
このとき、キーワードに該当する部分は例えば反転あるいは下線等により区分表示を行なう。
【０１２５】
図２８はこのときの表示部１９の表示画面を例示するもので、着信メッセージデータを示す「封筒」、メモデータを示す「メモ帳」、スケジュールデータを示す「時計」、電話帳データを示す「（電話機の）受話器」の各アイコンをラベルとして付加した５枚のカードの内、先頭に位置する「封筒」のラベルを付加したカード上に、着信メッセージデータとしてメッセージ（内容）「議事録作成しました。」、送信者「野村太郎」、及び着信日時「９７．１１．１５  １７：００」が印刷されているイメージをウィンドウで表示するものである。
【０１２６】
この場合、送信者「野村太郎」中の「野村」部分にキーワードであることを示す下線表示を施す一方、この着信メッセージデータを、今後、関連データとしてウインドウ表示するか否かの指示を促すガイドメッセージ「登録しますか？  Ｙ／Ｎ」を表示している。
【０１２７】
このガイドメッセージに対応して使用者が登録を指示する「Ｙ」または登録しないことを指示する「Ｎ」を操作すると、続いて登録の指示が検出されたか否かによりその内容を判断する（ステップＳ１２５）。
【０１２８】
ここで、上記「Ｙ」が操作されたと判断した場合、着信したメッセージデータのウインドウ表示登録が指示されたこととなるので、着信メッセージメモリエリアＲＭに格納したメッセージデータの対応するフラグＦ３０に“１”をセットする（ステップＳ１２６）。
【０１２９】
また、上記ステップＳ１２５で「Ｙ」ではなく「Ｎ」が操作されたと判断した場合は、着信したメッセージデータの今後のウインドウ表示を登録しない指示がなされたこととなるので、着信メッセージメモリエリアＲＭに格納したメッセージデータの対応するフラグＦ３０に“０”をセットする（ステップＳ１２６）。
【０１３０】
その後、表示部１９で表示した複数のウィンドウのラベル部分をキー入力部２１でのタッチ操作により指示する入力があるか否か（ステップＳ１２８）、あるいは上記と同様のＣＰＵ１７内のタイマ１７３が所定時間の計時を終了したか否か（ステップＳ１３２）を繰返し判断することで、ラベル部分の指示とタイマ１７３のタイムアップを待機する。
【０１３１】
ここで、ステップＳ１３２でＣＰＵ１７内のタイマ１７３が所定時間の計時を終了したと判断した場合には、各ウィンドウのラベル部分の指示操作が行なわれないままに所定時間が経過したこととなるので、それまで表示部１９で表示していた内容を消去し（ステップＳ１３５）、再び上記ステップＳ１０１からの待受け状態に戻る。
【０１３２】
また、上記ステップＳ１２８で複数のウィンドウの各ラベル部分の中の１つがタッチ操作により指示されたと判断した場合には、ビューワによりデータ管理メモリエリアＤＭのエリアＤＭＤを参照して、対応するデータの関連データ格納アドレスによりＲＡＭ１５の電話帳メモリエリアＴＬ、スケジュールデータメモリエリアＳＣ、もしくはメモデータメモリエリアＭＭから対応するデータを読出してそのデータが先頭のウィンドウとなるように表示する（ステップＳ１２９）。
【０１３３】
図２９は上記図２８で示した状態から電話帳データを示す「（電話機の）受話器」のラベル部分を操作した場合に表示されるデータを例示するもので、ここではデータ管理メモリエリアＤＭのエリアＤＭＤから関連データ格納アドレス「４９００」を読出し、このアドレスにより電話帳メモリエリアＴＬのアドレス「４９００」以下から「野村太郎」さんの電話帳データである電話番号、名前、及び住所等の「プライベートデータ２」を読出して先頭のウィンドウとして表示部１９で表示している。
【０１３４】
このような表示状態下で、さらに上記先頭に表示しているウィンドウのラベル部分のタッチ操作による指示の検出を待機し（ステップＳ１３０）、検出したと判断した時点で、着信メッセージデータの読出しモードから、その指示されたラベル部分に関するモードに移行するものとし、レジスタ１７４に記憶されていた内容がデータ管理メモリエリアＤＭのエリアＤＭＣ，ＤＭＤに転送され、アプリケーションローダー１７６が、ビューワに加えて、指示されたラベル部分に関するモードに対応するアプリケーションプログラムをＲＯＭ１６のアプリケーションプログラムメモリ１６２から読出し、ワークメモリ１７５にロードする。
【０１３５】
すなわち、ウインドウ表示を保持したまま、この関連するモードでの動作に移行する（ステップＳ１３１）。
【０１３６】
また、上記ステップＳ１０１で着信を待機している状態から直接キー入力部２１によりいずれかのモードが選択操作されるのを検出したと判断すると、次にその選択されたモードが着信メッセージデータの読出しモードであるか、あるいはそれ以外のモードであるかを判断する（ステップＳ１４０）。
【０１３７】
ここで選択されたモードが着信メッセージデータの読出しモードであると判断すると、ＲＡＭ１５の着信メッセージメモリエリアＲＭで未確認フラグＦ３１に“１”がセットされているメッセージデータを検索した上で（ステップＳ１４１）、同フラグＦ３１に“１”がセットされているメッセージデータがあるか否かを判断し（ステップＳ１４２）、あると判断した場合にはそのフラグＦ３１に“１”がセットされている当該メッセージデータを優先的に読出す（ステップＳ１４３）。
【０１３８】
また、フラグＦ３１に“１”がセットされているメッセージデータがないと判断した場合には、各メッセージデータの着信日時の内容により最も新しいものを読出す（ステップＳ１４４）。
【０１３９】
そして、フラグＦ３１に“１”をセットしたメッセージデータの有無にかかわらず、読出したメッセージデータの解析を行ない（ステップＳ１４５）、該当するフラグＦ３０に“１”がセットされているか否かを判断する（ステップＳ１４６）。
【０１４０】
ここで、該当するメッセージデータのフラグＦ３０に“１”がセットされていたと判断すると、データ管理メモリエリアＤＭのエリアＤＭＣに登録されている着信メッセージ格納アドレスを参照して、対応アドレスＬＡの内容を読出す（ステップＳ１４７）。
【０１４１】
そして、読出した対応アドレスＬＡにより同データ管理メモリエリアＤＭのエリアＤＭＤでフラグＦ２に“１”がセットされている関連データ格納アドレスをすべて読出し（ステップＳ１４８）、読出した該アドレスにより該当するデータを着信メッセージメモリエリアＲＭ、電話帳メモリエリアＴＬ、スケジュールデータメモリエリアＳＣ、及びメモデータメモリエリアＭＭから読出すことでその関連データ数に応じた複数のウィンドウを表示部１９で展開表示させる（ステップＳ１４９）。
【０１４２】
そして、この関連データに対応したウィンドウ表示を開始した後、そのウィンドウ表示の登録を解除するための選択指示が検出されたか否かを判断し（ステップＳ１５０）、検出されたと判断した場合にのみ、着信メッセージメモリエリアＲＭの対応する着信メッセージデータのフラグＦ３０に“０”をセットした後（ステップＳ１５１）、上記ステップＳ１２８からの各ウィンドウのラベル部分の指示とタイマ１７３のタイムアップを待機する処理に移行する。
【０１４３】
また、上記ステップＳ１４６で、読出したメッセージデータを解析した結果、フラグＦ３０に“１”ではなく“０”がセットとされていると判断した場合には、関連するデータによる複数のウィンドウ表示を行なわないものとし、読出した着信メッセージデータのみを表示部１９で表示させながら（ステップＳ１５２）、この着信メッセージデータの読出しモードを停止して元の着信の待受け状態に移行するための選択操作がなされるのを待機する（ステップＳ１５３）。
【０１４４】
そして、該選択操作がなされたと判断した時点で上記読出しモードを停止し、操作通り再び上記ステップＳ１０１からの待受け状態に移行する。
【０１４５】
また、上記ステップＳ１４０で、着信を待機している状態から直接キー入力部２１により選択操作されたモードが着信メッセージデータの読出しモード以外のモードであると判断した場合には、次いでそのモードがキーワードの設定モードであるか、あるいは電話帳モード、スケジュールモード、及びメモモードのうちの１つであるかを判断する（ステップＳ１６１）。
【０１４６】
ここで、電話帳モード、スケジュールモード、及びメモモードのうちの１つであると判断した場合には、アプリケーションローダー１７６が、対応するアプリケーションプログラムをＲＯＭ１６のアプリケーションプログラムメモリ１６２から読出してワークメモリ１７５にロードし、各モードの初期画面表示を表示部１９に表示した状態で（ステップＳ１６２）、キー入力部２１により新規にデータの登録を行なうための選択操作がなされたか否かを検出する（ステップＳ１６３）。
【０１４７】
ここで、該操作がなされたと判断すると、続いて上記初期画面に代えてデータを入力するための画面を表示部１９に表示した状態で（ステップＳ１６４）、順次入力される各項目のデータに関する表示処理を実行しながら（ステップＳ１６５）、データの入力を終了して登録指示が検出されたか否かを判断する処理（ステップＳ１６６）を繰返し実行することで、データの登録指示の検出を待機する。
【０１４８】
そして、登録指示の検出がなされたと判断した時点で、次にそのメッセージデータとの関連付けを行なうか否かの選択を促すガイドメッセージを表示させ（ステップＳ１６７）、それからその表示に対応して関連付けを行なうとの選択指示がなされたか否かを判断する（ステップＳ１６８）。
【０１４９】
ここで、関連付けを行なうとの選択指示がなされたと判断すると、上記選択されたモードが電話帳モードで、入力されたデータが電話帳データであれば電話帳メモリエリアＴＬの対応するデータのフラグＦ４に“１”を、また上記選択されたモードがスケジュールモードで、入力されたデータがスケジュールデータであればスケジュールデータメモリエリアＳＣの対応するデータのフラグＦ５に“１”を、あるいは上記選択されたモードがメモモードで、入力されたデータがメモデータであればメモデータメモリエリアＭＭの対応するデータのフラグＦ６に“１”をセットし（ステップＳ１６９）、それから次のデータ入力に備えるべく再び上記ステップＳ１６２からの処理に戻る。
【０１５０】
また、上記ステップＳ１６８で入力したデータに対応する着信メッセージデータの関連付けを行なわないとの選択指示がなされたと判断すると、上記ステップＳ１６９とは反対に上記選択されたモードが電話帳モードで、入力されたデータが電話帳データであれば電話帳メモリエリアＴＬの対応するデータのフラグＦ４に“０”を、また上記選択されたモードがスケジュールモードで、入力されたデータがスケジュールデータであればスケジュールデータメモリエリアＳＣの対応するデータのフラグＦ５に“０”を、あるいは上記選択されたモードがメモモードで、入力されたデータがメモデータであればメモデータメモリエリアＭＭの対応するデータのフラグＦ６に“０”をセットし（ステップＳ１７０）、それから次のデータ入力に備えるべく再び上記ステップＳ１６２からの処理に戻る。
【０１５１】
さらに、上記ステップＳ１６３で新規にデータの登録を行なうための選択操作がなされないと判断した場合には、次いですでに登録されているデータの編集または削除を行なうものとして、その選択指示が検出されたか否かを判断し（ステップＳ１７１）、検出されない場合は、再び上記ステップＳ１６２からの処理に戻る。
【０１５２】
しかして、ステップＳ１７１でデータの編集または削除の選択指示が検出されたと判断すると、続く入力操作に応じて、対応するデータを電話帳メモリエリアＴＬまたはスケジュールデータメモリエリアＳＣまたはメモデータメモリエリアＭＭから読出し、表示部１９に表示した状態で（ステップＳ１７２）、順次入力編集または削除される各項目のデータに関する表示処理を実行しながら（ステップＳ１７３）、データの内容を決定指示が検出されたか否かを判断する処理（ステップＳ１７４）を繰返し実行することで、データの決定指示の検出を待機する。
【０１５３】
そして、決定指示の検出がなされたと判断した時点で、そのモードに対応する電話帳メモリエリアＴＬの該当データのフラグＦ４またはスケジュールデータメモリエリアＳＣの該当データのフラグＦ５またはメモデータメモリエリアＭＭの該当データのフラグＦ６に“１”がセットされているか否かを判断する（ステップＳ１７５）。
【０１５４】
ここで、“１”がセットされていると判断すると、次にメッセージデータとの関連付けを行なうか否かの選択を促すガイドメッセージを表示させ（ステップＳ１７６）、それからその表示に対応して関連付けを行なうとの選択指示がなされたか否かを判断する（ステップＳ１７７）。
【０１５５】
ここで、関連付けを行なうとの選択指示がなされたと判断すると、その時点で次のデータ入力に備えるべく再び上記ステップＳ１６２からの処理に戻る。
【０１５６】
また、上記ステップＳ１７７で入力したデータに対応する着信メッセージデータの関連付けを行なわないとの選択指示がなされたと判断すると、上記選択されたモードが電話帳モードで、入力されたデータが電話帳データであれば電話帳メモリエリアＴＬの対応するデータのフラグＦ４に“０”を、また上記選択されたモードがスケジュールモードで、入力されたデータがスケジュールデータであればスケジュールデータメモリエリアＳＣの対応するデータのフラグＦ５に“０”を、あるいは上記選択されたモードがメモモードで、入力されたデータがメモデータであればメモデータメモリエリアＭＭの対応するデータのフラグＦ６に“０”をセットする（ステップＳ１７８）。
【０１５７】
その後、データ管理メモリエリアＤＭのエリアＤＭＤの関連するデータのフラグＦ２に“０”をセットし（ステップＳ１７９）、エリアＤＭＣの関連データ数を再設定してから（ステップＳ１８０）、次のデータ入力に備えるべく再び上記ステップＳ１６２からの処理に戻る。
【０１５８】
さらに、上記ステップＳ１７５でそのモードに対応する電話帳メモリエリアＴＬの該当データのフラグＦ４またはスケジュールデータメモリエリアＳＣの該当データのフラグＦ５またはメモデータメモリエリアＭＭの該当データのフラグＦ６に“１”がセットされていないと判断した場合には、そのメッセージデータとの関連付けを行なうか否かの選択を促すガイドメッセージを表示させ（ステップＳ１８１）、それからその表示に対応して関連付けを行なうとの選択指示がなされたか否かを判断する（ステップＳ１８２）。
【０１５９】
ここで、関連付けを行なうとの選択指示がなされたと判断すると、上記選択されたモードが電話帳モードで、入力されたデータが電話帳データであれば電話帳メモリエリアＴＬの対応するデータのフラグＦ４に“１”を、また上記選択されたモードがスケジュールモードで、入力されたデータがスケジュールデータであればスケジュールデータメモリエリアＳＣの対応するデータのフラグＦ５に“１”を、あるいは上記選択されたモードがメモモードで、入力されたデータがメモデータであればメモデータメモリエリアＭＭの対応するデータのフラグＦ６に“１”をセットし（ステップＳ１８３）、それから次のデータ入力に備えるべく再び上記ステップＳ１６２からの処理に戻る。
【０１６０】
また、上記ステップＳ１８２で入力したデータに対応する着信メッセージデータの関連付けを行なわないとの選択指示がなされたと判断すると、そのまま次のデータ入力に備えるべく再び上記ステップＳ１６２からの処理に戻る。
【０１６１】
図２７は上記図２６でも示したメッセージデータの着信があった後に各モードへ移行して処理を実行した場合のデータ管理メモリエリアＤＭの記憶内容を例示するもので、着信処理時には着信したメッセージデータはレジスタ１７４に書込まれるが、エリアＤＭＣにて着信メッセージメモリエリアＲＭの格納アドレス「４２００」に検出対象データが「４３２１」、関連キーワードが「野村」である着信したメッセージデータが格納されており、それに関連するデータが他に着信メッセージメモリエリアＲＭ、電話帳メモリエリアＴＬ、スケジュールデータメモリエリアＳＣ、及びメモデータメモリエリアＭＭに「４」存在していることがわかる。
【０１６２】
さらに、上記ステップＳ１６１で選択操作されたモードがキーワードの設定モードであると判断した場合には、その操作に対応して該当するモードの初期画面表示を表示部１９に表示した状態で（ステップＳ１９１）、このキーワード設定モードを抜けるための操作が検出されないことを確認し（ステップＳ１９２）、新規にキーワードの登録を行なうための選択操作がなされたか否か（ステップＳ１９３）、あるいは既に登録されているキーワードの編集／削除を行なうための選択操作がなされたか否か（ステップＳ１９９）を繰返し判断することでこれらのうちのいずれかを待機する。
【０１６３】
しかして、ステップＳ１９３で新規にキーワードを登録するための操作がなされたと判断すると、続いて上記初期画面に代えてキーワードを入力するための画面を表示部１９に表示した状態で（ステップＳ１９４）、順次入力されるキーワードのデータに関する表示処理を実行しながら（ステップＳ１９５）、その入力を終了して登録指示が検出されたか否かを判断する処理（ステップＳ１９６）を繰返し実行することで、キーワードを構成するデータの登録指示の検出を待機する。
【０１６４】
そして、登録指示の検出がなされたと判断した時点で、データ管理メモリエリアＤＭのエリアＤＭＢに検索対象データとしてこの入力したキーワードのデータを書込設定し（ステップＳ１９７）、合わせて同エリアＤＭＢの対応するフラグＦ１に“１”をセットして（ステップＳ１９８）、再び次のキーワードの入力を受付けるべく上記ステップＳ１９３からの処理に戻る。
【０１６５】
また、上記ステップＳ１９９で既に登録されているキーワードの編集あるいは削除を行なうための選択操作がなされたと判断すると、次いで入力操作に応じて編集あるいは削除を行なう対象となるキーワードをデータ管理メモリエリアＤＭのエリアＤＭＢの検索対象データの中から読出す（ステップＳ２００）。
【０１６６】
そして、この読出したキーワードのデータに対して順次入力／編集される内容に関する表示処理を実行しながら（ステップＳ２０１）、該内容を決定する指示が検出されたか否かを判断する処理（ステップＳ２０２）を繰返し実行することで、キーワードの編集／削除による決定の指示の検出を待機する。
【０１６７】
そして、決定の指示の検出がなされたと判断した時点で、データ管理メモリエリアＤＭのエリアＤＭＢの該当する検索対象データに対してフラグＦ１に“１”がセットされているか否か判断する（ステップＳ２０３）。
【０１６８】
ここで該フラグＦ１に“１”がセットされていると判断した場合には、あらためてこのデータ管理メモリエリアＤＭのエリアＤＭＢに検索対象データとして内容を編集したキーワードのデータを書込設定すると共に、メッセージの着信時にこのキーワードによる検索実行を行なうか否かの選択を促すガイドメッセージを表示させる（ステップＳ２０４）。ここで、キーワードのデータを編集ではなく削除する選択指示がなされていた場合には、書込設定に代えてエリアＤＭＢから対応する検索対象データを消去する。
【０１６９】
それからその表示に対応して検索実行を行なうとの選択指示が検出されたか否かを判断し（ステップＳ２０５）、検索実行を行なうとの選択指示が検出されたと判断した場合には、そのまま次のキーワードの入力を受付けるべく再び上記ステップＳ１９３からの処理に戻る。
【０１７０】
また、上記ステップＳ２０５でメッセージの着信時にこのキーワードによる検索実行を行なうとの選択指示が検出されなかった場合には、データ管理メモリエリアＤＭのエリアＤＭＢの該当するデータのフラグＦ１にセットされている“１”を“０”にセットし直した後（ステップＳ２０４）同データ管理メモリエリアＤＭのエリアＤＭＣ，ＤＭＤのそれぞれ該当する対応アドレスＬＡを含む記憶内容を消去し（ステップＳ２０７）、それから次のキーワードの入力を受付けるべく再び上記ステップＳ１９３からの処理に戻る。
【０１７１】
また、上記ステップＳ２０３でデータ管理メモリエリアＤＭのエリアＤＭＢの該当する検索対象データに対してフラグＦ１に“１”がセットされていないと判断した場合には、あらためてこのデータ管理メモリエリアＤＭのエリアＤＭＢに検索対象データとして内容を編集したキーワードのデータを書込設定すると共に、メッセージの着信時にこのキーワードによる検索実行を行なうか否かの選択を促すガイドメッセージを表示させる（ステップＳ２０８）。ここで、キーワードのデータを編集ではなく削除する選択指示がなされていた場合には、書込設定に代えてエリアＤＭＢから対応する検索対象データを消去する。
【０１７２】
それからその表示に対応して検索実行を行なうとの選択指示が検出されたか否かを判断し（ステップＳ２０９）、検索実行を行なうとの選択指示が検出されたと判断した場合には、エリアＤＭＢの対応するデータのフラグＦ１に“１”をセットし（ステップＳ２１０）、それから次のキーワードの入力を受付けるべく再び上記ステップＳ１９３からの処理に戻る。
【０１７３】
また、上記ステップＳ２０９でメッセージの着信時にこのキーワードによる検索実行を行なうとの選択指示が検出されなかった場合には、そのまま次のキーワードの入力を受付けるべく再び上記ステップＳ１９３からの処理に戻る。
【０１７４】
なお、ステップＳ１３１以降、各モードでは、新規入力／作成したデータを送信データとして登録することができる。
【０１７５】
図３０は各モードへ移行後における、データ新規入力／登録／送信処理までの一連の流れを示すフローチャートである。
【０１７６】
このフローチャートにおいて、ステップＳ１３１より関連するモードでの動作に移行すると、ウインドウ表示を保持したまま、当該モードに対応するアプリケーションプログラムがワークメモリ１７５にロードされる（Ｓ２１１）。
【０１７７】
この状態において、キー入力部２１により新規にデータの登録を行なうための選択操作がなされたか否かを検出する（ステップＳ２１２）。
【０１７８】
ここで、該操作がなされたと判断すると、続いて上記初期画面に代えてデータを入力するための画面を表示部１９に表示し、順次入力されることによるデータ作成処理及び表示処理を実行しながら（ステップＳ２１３）、データ作成処理を終了して登録指示が検出されたか否かを判断する処理（ステップＳ２１４）を繰返し実行することで、データの登録指示の検出を待機する。
【０１７９】
そして、登録指示の検出がなされたと判断した時点で、次にそのデータを通信回線を介して送信するか否かの選択を促すガイドメッセージを表示（不図示）させ、この後、送信指定がなされたか否かを判断する（ステップＳ２１５）。
【０１８０】
ここで、送信指定されたと判断すると、ＲＯＭ１６に格納されている変換プログラムが更にワークメモリ１７５にロードし、この作成したデータを送信する通信回線に対応するデータに変換して送信バッファ２６に転送する。またこの時、当該データの送信先に関するデータが例えば電話帳メモリエリアＴＬから読み出されて送信バッファ２６にセットされ（ステップＳ２１６）、記憶保持状態になる（ステップＳ２１７）
この後、キー入力部２１の所定のキー操作を検出したか否かの判断により、送信の実行を判断し、実行指示検出されると送信部２７よりデータが送信され（ステップＳ２１９）、ステップＳ２１１に戻る。
【０１８１】
また、実行指示が検出されない場合はこのまま記憶保持状態に戻る。
【０１８２】
更に作成されたデータの送信指定が検出されなくても、データの登録処理は実行される（ステップＳ２２１）。
【０１８３】
従ってこのような送信処理を実行可能にすることにより、ビューワで他のモードの関連データを参照しながら、対応するモードで所望のデータを作成でき、且つそのデータの送信が可能になる。
【０１８４】
なお、この送信処理ついては、図２４のステップＳ１６５とステップＳ１６６、ステップＳ１７４とステップＳ１７５の間に設けても良い。
【０１８５】
更に、上記データ管理メモリエリアＤＭは、上記図１６、図２７に示したエリア構成に代えて、図３１に示すように新たなエリアＤＭＥを設けるものとしてもよい。この場合、エリアＤＭＥは関連データの格納アドレスと対応付けてラベルのアイコンを設定可能としたもので、メッセージデータの着信時の表示において、予め各モードで設定されたラベルの他に、自作したラベルのアイコンも表示できるようにしている。
【０１８６】
このように、着信手段メッセージデータに関連したデータをウィンドウ表示した状態でそれぞれのデータがどのモードに属するものであるかを視覚的に理解しやすい状態で表示させることができるばかりでなく、そのウィンドウ表示された状態から該当するモードに即座に移行することができので、より実用的な操作環境を実現することができる。
【０１８７】
（第３の実施の形態）
上記第２の実施の形態では、第１の実施の形態に加え、ウインドウ表示の際にラベルにアイコンを表示させ、このウインドウ表示を保持しつつ、各モードの操作へ移行できるようにしたが、本第３の実施例では更に、ウインドウ表示に関し、表示優先順位を設定可能に下場合について詳述する、
以下本発明を電子手帳機能を有する、ＲＣＲＳＴＤ−４３規格に則ったページング受信機に適用した場合の第２の実施の形態について図面を参照して説明する。
【０１８８】
なお、本第３の実施の形態は基本的には上記図１４に示したものと同様であるので、同一部分には同一符号を付してその説明は省略する。
【０１８９】
図３２は、アプリケーションプログラムメモリ１６２にテーブル状に格納される、各アプリケーションプログラムの格納状態を示す図である。
【０１９０】
この図において、各アプリケーションプログラムには、ロードの際にワークメモリに最低必要とされる実行バイト数が対応付けて記憶されている。
【０１９１】
すなわち、この実行バイト数が少ない程、ロードにかかるＣＰＵ１７の負担が少なくなり、モード切換が早くなる。逆に実行バイト数が多いほど、ロードにかかるＣＰＵ１７の負担が多くなり、モード切換が遅くなることを表わしている。
【０１９２】
また図示はしていないが、ビューワの場合は、データの表示のみを行うので実質的にこれらのアプリケーションプログラムより最低実行バイト数は少ない。
【０１９３】
図３３から図３６は、上記第２の実施の形態と同様の着信メッセージメモリエリアＲＭ’、電話帳メモリエリアＴＬ’、スケジュールデータメモリエリアＳＣ’、及びメモデータメモリエリアＭＭ’の記憶内容をそれぞれ示すものである。
【０１９４】
この図３３から図３６において、上記第２の実施の形態と異なる点は、着信メッセージメモリエリアＲＭ’、スケジュールデータメモリエリアＳＣ’では各データに対応してデータ容量が、電話帳メモリエリアＴＬ’、メモデータメモリエリアＭＭ’では各データに対応してデータ容量とこのデータを登録した日時と記憶管理されている点にある。
【０１９５】
図３７は、本第３の実施の形態におけるデータ管理メモリエリアＤＭ’の構成と記憶内容を示す図である。
【０１９６】
上記第２の実施の形態と同様にエリアＤＭＡ〜ＤＭＤの４つのエリアからなるが、これに加えてエリアＤＭＦを備えている。
【０１９７】
エリアＤＭＦはメッセージデータ着信の際にこのメッセージデータの関連データを複数検出した場合に、これらの関連データのウインドウ表示（重ね表示）の表示優先順位を定義する項目とフラグＷとが対応付けて記憶されている。
【０１９８】
すなわち、複数の関連データのウインドウ表示の際、「アプリケーション実行バイト数」に対応するフラグＷに“１”がセットされていれば、表示すべき複数の関連データに対応するアプリケーションプログラムにおいて、ロードにかかるＣＰＵ１７の負担が軽いものから優先してウインドウの重ね表示を行う。
【０１９９】
また、「データ容量」に対応するフラグＷに“１”がセットされていれば、表示すべき複数の関連データの容量に応じてウインドウの重ね表示の優先順位を決定する。
【０２００】
更に、「スケジュール開始日時／登録日時／着信日時」に対応するフラグＷに“１”がセットされていれば、表示すべき複数の関連データの日時情報（スケジュールデータであれば開始日時、メモデータ、電話帳データであれば登録日時、着信メッセージデータであれば着信日時）を参照して、直近のものから優先してウインドウの重ね表示を行う。
【０２０１】
尚、詳細は述べないがフラグＷは、キー入力部２１からの操作検出により、適宜設定変更可能とする。
【０２０２】
図３８は、本第３の実施の形態における、メッセージの着信状態からの処理内容を示すものであり、上記第２の実施の形態における図２２のステップＳ１２０とステップＳ１２２の間で実行される、フローチャートである。
【０２０３】
この図３８において、データ管理メモリエリアＤＭのエリアＤＭＤに対応アドレスＬＡと関連データ格納アドレスを設定、登録した上でフラグＦ２に“１”をセットすると（ステップＳ１２０）、次いで、上記ステップＳ１１７での検索により得られた関連データの数をカウントする（ステップＳ２２１）。
【０２０４】
そして、関連データ数が１つかそれ以上かを判断し（ステップＳ２２２）、１つであれば、この関連データに応じたウィンドウを各データの種類に応じたラベルを示すアイコンも付加した形で表示部１９に展開表示する（ステップＳ２２４）。
【０２０５】
また関連データが１つ以上の場合は、エリアＤＭＦにフラグＷに“１”がセットされる優先順位に従って、ウインドウ表示の優先順位を決定する（ステップＳ２２３）。この後、これら関連データに応じたウィンドウを各データの種類に応じたラベルを示すアイコンも付加した形で表示部１９に展開表示する（ステップＳ２２４）。
【０２０６】
図３９はこのときの表示部１９の表示画面を例示するもので、アプリケーションプログラムの実行バイト数が少ないものから順に、着信メッセージデータを示す「封筒」、過去の着信メッセージデータを示す「封筒」、メモデータを示す「メモ帳」、電話帳データを示す「（電話機の）受話器」、スケジュールデータを示す「時計」各アイコンをラベルとして付加した５枚のカード（ウインドウ）が重ね表示されている。
【０２０７】
なお、上記第２、及び第３の実施の形態にあっては、アプリケーションローダー１７６は、メッセージデータ着信時における関連データのウインドウ表示の際はビューワ１６３をロードし、ステップＳ１６２（図２４）に処理が移行した時に対応するアプリケーションプログラムをロードするようにしていた。
【０２０８】
しかしながら、ビューワ１６３がＲＯＭ１６に記憶されていないような場合について、メッセージデータ着信時における関連データの表示の際はこの関連データ対応するアプリケーションプログラムの内、表示のみに必要なプログラムをロードし、ステップＳ１６２（図２４）に処理が移行した時にこのアプリケーションプログラムを全てロードするようにしてもよい。
【０２０９】
更に、上記第１〜第３の実施の形態にあっては、本発明を電子手帳機能を有する、ＲＣＲＳＴＤ−４３規格に則ったページング受信機に適用した場合について説明したが、本発明はこれに限ることなく、入力したメッセージデータと関連している可能性のあるデータを記憶するような電子機器、例えば電話帳データを記憶し、電子メールの送受を行なうことが可能な携帯通信端末、デジタル携帯電話、及びＰＨＳ（Ｐｅｒｓｏｎａｌ  Ｈａｎｄｙｐｈｏｎｅ  Ｓｙｓｔｅｍ：簡易型コードレス電話機）などであっても容易に適用可能である。
【０２１０】
さらに、本発明の実施の形態に関わる制御（ウインドウ表示制御、切換表示制御）内容は、予め可搬型記憶媒体２９に格納されていても良く、必要に応じて記憶媒体ドライバ２８が読出し、ＲＯＭ１６に書き込むようにしても良い。
【０２１１】
その他、本発明はその要旨を逸脱しない範囲内で種々変形して実施することが可能であるものとする。
【０２１２】
【発明の効果】
本発明によれば、入力データとともにこの入力データより検索された関連データの識別情報のみを関連データの数分表示し、指示操作された識別情報によって識別される関連データを入力データと入れ換えて表示するので、簡単に入力データと、この入力データに内容が関連していると思われる他のデータの数のみを把握することができ、且つ、簡単な操作でこの他のデータを呼び出して表示させることが可能となる。
【図面の簡単な説明】
【図１】本発明の第１の実施の形態に係る回路構成を示すブロック図。
【図２】図１のＲＡＭのメモリエリア構成を示す図。
【図３】図２の着信メッセージメモリエリアの構成と記憶内容を例示する図。
【図４】図２の電話帳メモリエリアの構成と記憶内容を例示する図。
【図５】図２のスケジュールデータメモリエリアの構成と記憶内容を例示する図。
【図６】図２のメモデータメモリエリアの構成と記憶内容を例示する図。
【図７】図１のＣＰＵ内のレジスタの構成を例示する図。
【図８】同実施の形態に係るメッセージ着信時の動作を説明するフローチャート。
【図９】同実施の形態に係るメッセージ着信時の動作を説明するフローチャート。
【図１０】同実施の形態に係る動作による着信メッセージメモリエリアの記憶内容の変化を例示する図。
【図１１】同実施の形態に係る動作によるＣＰＵ内のレジスタの記憶内容を例示する図。
【図１２】同実施の形態に係る動作による表示画面を例示する図。
【図１３】同実施の形態に係る動作による表示画面を例示する図。
【図１４】本発明の第２の実施の形態に係る回路構成を示すブロック図。
【図１５】図１４のＲＡＭのメモリエリア構成を示す図。
【図１６】図１５のデータ管理メモリエリアの構成と記憶内容を例示する図。
【図１７】図１５の着信メッセージメモリエリアの構成と記憶内容を例示する図。
【図１８】図１５の電話帳メモリエリアの構成と記憶内容を例示する図。
【図１９】図１５のスケジュールデータメモリエリアの構成と記憶内容を例示する図。
【図２０】図１５のメモデータメモリエリアの構成と記憶内容を例示する図。
【図２１】同実施の形態に係る動作を説明するフローチャート。
【図２２】同実施の形態に係る動作を説明するフローチャート。
【図２３】同実施の形態に係る動作を説明するフローチャート。
【図２４】同実施の形態に係る動作を説明するフローチャート。
【図２５】同実施の形態に係る動作を説明するフローチャート。
【図２６】同実施の形態に係る動作による着信メッセージメモリエリアの記憶内容の変化を例示する図。
【図２７】同実施の形態に係る動作によるデータ管理メモリエリアの記憶内容の変化を例示する図。
【図２８】同実施の形態に係る動作による表示画面を例示する図。
【図２９】同実施の形態に係る動作による表示画面を例示する図。
【図３０】同実施の形態に係る動作を説明するフローチャート。
【図３１】同実施の形態に係るデータ管理メモリエリアＤＭの他の構成と記憶内容を例示する図。
【図３２】本発明の第３の実施の形態に係るアプリケーションプログラムメモリ１６２の記憶内容を例示する図。
【図３３】同実施の形態に係る図１５の着信メッセージメモリエリアの構成と記憶内容を例示する図。
【図３４】同実施の形態に係る図１５の電話帳メモリエリアの構成と記憶内容を例示する図。
【図３５】同実施の形態に係る図１５のスケジュールデータメモリエリアの構成と記憶内容を例示する図。
【図３６】同実施の形態に係る図１５のメモデータメモリエリアの構成と記憶内容を例示する図。
【図３７】同実施の形態に係る図１５のデータ管理メモリエリアの構成と記憶内容を例示する図。
【図３８】同実施の形態に係る動作を説明するフローチャート。
【図３９】同実施の形態に係る動作による表示画面を例示する図。
【符号の説明】
１１…アンテナ
１２…受信部（接続手段）
１３…デコーダ部
１３１…デ・インターリーブ回路
１３２…バッファメモリ
１３３…誤り訂正処理回路
１３４…アドレスデータ照合回路
１４…ＩＤ−ＲＯＭ
１５…ＲＡＭ（第１の記憶手段）
１６…ＲＯＭ
１６１…キャラクタジェネレータ
１６２…アプリケーションプログラムメモリ（第３の記憶手段）
１６３…ビューワ
１７…ＣＰＵ（検出手段、表示制御手段、付与手段、判別手段、変更手段）
１７１…計時部
１７２…カウンタ
１７３…タイマ
１７４…レジスタ
１７５…ワークメモリ
１７６…アプリケーションローダー
１８…表示ドライバ
１９…表示部（第１の表示手段、ウインドウ表示手段）
２０…報知ドライバ
２１…キー入力部（選択手段）
２１１…キーボード（編集手段）
２１２…スタイラスペン
２２…スピーカ
２３…ＬＥＤ
２４…バイブレータ
２５…ＩＦ（インターフェース）
２６…送信バッファ
２７…送信部
２８…記録媒体ドライバ
２９…可搬型記憶媒体
Ｂ…バス
ＲＭ、ＲＭ’…着信メッセージメモリエリア
ＴＬ、ＴＬ’…電話帳メモリエリア
ＳＣ、ＳＣ’…スケジュールデータメモリエリア
ＭＭ、ＭＭ’…メモデータメモリエリア
ＤＭ  ＤＭ’…データ管理メモリエリア
【図１】
0004126473.tif 000002
【図２】
0004126473.tif 000003
【図３】
0004126473.tif 000004
【図４】
0004126473.tif 000005
【図５】
0004126473.tif 000006
【図６】
0004126473.tif 000007
【図７】
0004126473.tif 000008
【図８】
0004126473.tif 000009
【図９】
0004126473.tif 000010
【図１０】
0004126473.tif 000011
【図１１】
0004126473.tif 000012
【図１２】
0004126473.tif 000013
【図１３】
0004126473.tif 000014
【図１４】
0004126473.tif 000015
【図１５】
0004126473.tif 000016
【図１６】
0004126473.tif 000017
【図１７】
0004126473.tif 000018
【図１８】
0004126473.tif 000019
【図１９】
0004126473.tif 000020
【図２０】
0004126473.tif 000021
【図２１】
0004126473.tif 000022
【図２２】
0004126473.tif 000023
【図２３】
0004126473.tif 000024
【図２４】
0004126473.tif 000025
【図２５】
0004126473.tif 000026
【図２６】
0004126473.tif 000027
【図２７】
0004126473.tif 000028
【図２８】
0004126473.tif 000029
【図２９】
0004126473.tif 000030
【図３０】
0004126473.tif 000031
【図３１】
0004126473.tif 000032
【図３２】
0004126473.tif 000033
【図３３】
0004126473.tif 000034
【図３４】
0004126473.tif 000035
【図３５】
0004126473.tif 000036
【図３６】
0004126473.tif 000037
【図３７】
0004126473.tif 000038
【図３８】
0004126473.tif 000039
【図３９】
0004126473.tif 000040